(57)【要約】【課題】半身浴に好適な入浴用折り畳み椅子を提供する。【解決手段】入浴用折り畳み椅子１０は、頭支え部１２、背支え部１４、座部１６および脚部１８で構成される。入浴用折り畳み椅子１０は、使用状態において、頭支え部が略水平に、背支え部が後方に傾斜状に、座部が前上がりに、それぞれ配置される。頭支え部１２および脚３８、３８に吸盤２２および４６が設けられる。頭支え部１２は、後ろ首を差込可能な半円状の切込み部２０が形成され、上面に冷却枕２１が設けられ、背支え部１４に対して垂直方向に移動可能に設けられる。背支え部１４に複数の隙間３０が形成される。座部１６には重りが取り付けられる。【選択図】図１
0003108218.tif 000002
【実用新案登録請求の範囲】
【請求項１】
それぞれ平板状の頭支え部、背支え部および座部と、該背支え部または該座部から延出される脚部とで構成され、該背支え部と該座部とを折り畳み可能な入浴用折り畳み椅子であって、
使用状態において、該頭支え部が略水平に、該背支え部が後方に傾斜状に、該座部が前上がりに、それぞれ配置されるように構成されてなることを特徴とする入浴用折り畳み椅子。
【請求項２】
前記頭支え部および前記脚部のうちのいずれか一方または双方に、浴槽に吸着可能な吸盤部材が設けられてなることを特徴とする請求項１記載の入浴用折り畳み椅子。
【請求項３】
前記頭支え部は、後ろ首を差込可能な半円状の切込みが形成され、上面に冷却枕が設けられ、前記背支え部に対して垂直方向に移動可能に設けられてなることを特徴とする請求項１記載の入浴用折り畳み椅子。
【請求項４】
前記背支え部に複数のスリットが形成されてなることを特徴とする請求項１記載の入浴用折り畳み椅子。
【請求項５】
前記座部に重りが取り付けられてなることを特徴とする請求項１記載の入浴用折り畳み椅子。
【考案の詳細な説明】
【技術分野】
【０００１】
本考案は、半身浴に用いられる椅子に関するものである。
【背景技術】
【０００２】
いわゆる半身浴は、健康、美容、ストレス解消に好ましい入浴法として普及しつつある。
特に、高齢者や病弱者にとっては、ややぬるめの湯に下半身を長時間浸す上記半身浴は、通常の入浴法に比べて水圧や温度による身体への負担が軽減されるため、望ましい入浴法といえる。
【０００３】
ところが、半身浴では、通常長い時間入浴するため、寝込んでしまって溺れる事故が起こりうる。また、楽な入浴姿勢がとれないと、その効果も半減することになる。
【０００４】
上記の観点から、半身浴に関して種々の提案がなされている。
例えば、首部を出し入れ可能な孔部を設けた半身浴用浴槽蓋が提案されている（特許文献１参照。）。
また、各種の座椅子も提案されている（例えば、特許文献２参照。）。
しかしながら、これらの入浴補助具は、上記した楽な入浴姿勢がとれないという課題を解消するものではない。
【０００５】
一方、頭支え部（枕部）、背支え部および座部を備える椅子もいくつか提案されている。
例えば、枕部、背もたれ部、足置き部および肘掛部を備え、軟質の発泡樹脂と浮き袋の組み合わせからなる椅子が提案されており、この椅子は浮遊状態で使用できるため、好適であるとされている（特許文献３参照。）。
また、浴槽の縁に固定するための固定部材と、固定部材から延在する、人体を背面から支持するための浮遊部材とを有する入浴用補助具も提案されている（特許文献４参照。）。
【特許文献１】特開２００２−１９９９９６号公報
【特許文献２】特開２００４−７３３０１号公報
【特許文献３】特開２００３−１８０５４０号公報
【特許文献４】特開２００１−１６９９５１号公報
【考案の開示】
【考案が解決しようとする課題】
【０００６】
しかしながら、上記の頭支え部、背支え部および座部を備える、従来の椅子や入浴用補助具は、寝込んでしまって溺れる事故を防止し、また、楽な入浴姿勢を実現するうえで、必ずしも十分ではないと思われる。
また、上記従来の椅子や入浴用補助具は、取り扱い易さ、特に、使用しないときの持ち運びの容易さや保管性に難がある。
【０００７】
本考案は、上記の課題に鑑みてなされたものであり、半身浴に好適な入浴用折り畳み椅子を提供することを目的とする。
【課題を解決するための手段】
【０００８】
本考案に係る入浴用折り畳み椅子は、それぞれ平板状の頭支え部、背支え部および座部と、該背支え部または該座部から延出される脚部とで構成され、該背支え部と該座部とを折り畳み可能な入浴用折り畳み椅子であって、
使用状態において、該頭支え部が略水平に、該背支え部が後方に傾斜状に、該座部が前上がりに、それぞれ配置されるように構成されてなることを特徴とする。
【０００９】
また、本考案に係る入浴用折り畳み椅子は、前記頭支え部および前記脚部のうちのいずれか一方または双方に、浴槽に吸着可能な吸盤部材が設けられてなることを特徴とする。
【００１０】
また、本考案に係る入浴用折り畳み椅子は、前記頭支え部は、後ろ首を差込可能な半円状の切込みが形成され、上面に冷却枕が設けられ、前記背支え部に対して垂直方向に移動可能に設けられてなることを特徴とする。
【００１１】
また、本考案に係る入浴用折り畳み椅子は、前記背支え部に複数のスリットが形成されてなることを特徴とする。
【００１２】
また、本考案に係る入浴用折り畳み椅子は、前記座部に重りが取り付けられてなることを特徴とする。
【考案の効果】
【００１３】
本考案の入浴用折り畳み椅子は、頭支え部が略水平に、背支え部が後方に傾斜状に、座部が前上がりに、それぞれ配置されるように構成されているため、楽でかつ安定した姿勢で半身浴を行うことができる。また、使用しないときは、折り畳んだ状態とすることにより、取り扱いが容易である。
【考案を実施するための最良の形態】
【００１４】
本考案に係る入浴用折り畳み椅子の好適な実施の形態について、図１〜３を参照して説明する。図１は入浴用折り畳み椅子を開いた状態を、図２には入浴用折り畳み椅子を閉じた状態を、図３は入浴用折り畳み椅子を浴槽内に配置した状態を、それぞれ示す。
【００１５】
本考案に係る入浴用折り畳み椅子１０は、頭支え部（枕部）１２、背支え部（背もたれ部）１４、座部（座面）１６および脚部１８で構成される。一般の椅子に設けられるいわゆる肘掛部は、入浴用折り畳み椅子１０を浴槽（図３中、矢印Ｂで示す。）内に配置したときに、浴槽のスペースが狭いと邪魔になるおそれがあるため、あるいはまた、浴槽内での動作の支障となるおそれがあるため、設けていない。但し、入浴用折り畳み椅子１０に肘掛部を設けることを排除する趣旨ではない。
【００１６】
頭支え部１２は、後頭部を載せて支えるのに十分な大きさの平板状に形成される。また、好ましくは、頭支え部１２には、後ろ首を差込可能な半円状の切込み部２０が形成される。頭支え部１２には、その上面に冷却枕２１を着脱可能に取り付け、あるいは載置することができる。冷却枕２１は、ゴム製等の袋に水や氷を入れた水枕あるいは氷嚢であってもよく、また、樹脂シートや樹脂ケースに保冷ゲルを入れた、アイスノン（登録商標）等の保冷枕であってもよい。
好ましくは、頭支え部１２の下面に例えばゴム製の吸盤（吸着パッド）２２、２２が設けられる。吸盤２２、２２は、頭支え部１２に固定してもよく、また、着脱可能に取り付けてもよい。
【００１７】
頭支え部１２に一対の支持部材２４、２４の上端部が、支持部材２４、２４と頭支え部１２の上面が挟む角（図１中、θ１で示す。）が１８０°を超え、この場合２７０°に近くなるような姿勢で固着される。支持部材２４、２４は、以下に説明する高さ調整部材で背支え部１４に係合したうえ、支持部材２４、２４の下端部が背支え部１４の端部に例えば鋭角等の所定の交差角で当接するように設けられる。これにより、頭支え部１２を含む平面および背支え部１４を含む平面の相対的な交差角度が決められる。
このとき、好ましくは、頭支え部１２の高さ位置を可変できるように、例えば、支持部材２４、２４と背支え部１４を高さ調整部材によって係合する。高さ調整部材は、例えば、支持部材２４、２４に多段にわたって設けた孔部と、この孔部に連通するように背支え部１４の後述する支持部材２６、２６に設けた孔部およびこれらの孔部に挿通するピン部材等で構成することができる（図示せず。）。  
【００１８】
背支え部１４は、背の略全体を載せて支えるのに十分な大きさの平板状に形成される。この場合、好ましくは、例えば、２本の支持部材２６、２６間に複数の板２８を所定間隔離間して掛け渡して、隣り合う板２８、２８間に隙間（スリット）３０を形成する。なお、これに代えて、１枚の平板からなる背支え部１４に直接スリットを形成してもよい。
【００１９】
板２８の掛け渡されていない支持部材２６、２６の部分、言い換えれば背支え部１４から延出する部分は、脚部１８を構成する２本の脚３２、３２となる。２本の脚３２、３２の先端部は、傾斜面状に、言い換えれば、先端を斜めに切り落とした形状に形成される。この斜面の角度は、入浴用折り畳み椅子１０を開いたときに、２本の脚３２、３２の先端部の底面が浴槽の底面に当接するように調整される。なお、この２本の脚３２、３２は、背支え部１４とは格別に設けてもよい。２本の脚３２、３２の先端部は、掛け渡した棒部材３４で固定される。
【００２０】
また、背支え部１４の支持部材２６、２６の中途には、遊嵌ボルト等の適宜の係合部品３６を用いて、支持部材２６、２６に対して回動可能に、脚部１８を構成する２本の脚３８、３８が取り付けられる。２本の脚３８、３８の先端部には、連結部材３９が脚３８、３８間に掛け渡される。好ましくは、脚３８、３８の底面に頭支え部１２と同様に吸盤４６、４６を設ける。
【００２１】
座部１６は、臀部および両足の付け根を載せて支えるのに十分な大きさの平板状に形成される。座部１６は、この場合、２本の支持部材間１７、１７に複数の板１９、１９を略隙間なく掛け渡した形態に設けられる。なお、座部１６に背支え部１４と同様の隙間を設けてもよい。好ましくは、座部１６の下面に重り４４、４４を設ける。重り４４、４４は座部１６に固着してもよく、あるいは着脱可能に取り付けてもよい。
【００２２】
板１９の掛け渡されていない支持部材間１７、１７の部分、言い換えれば座部１６から延出する部分（これを一対の角柱状部材４０、４０と呼ぶ。）と座部１６との境界の箇所、言い換えれば、座部１６の後端部と、背支え部１４と脚２８、２８との境界の箇所、言い換えれば、背支え部１４の下端部とは、遊嵌ボルト等の適宜の係合部品４２を用いて回動可能に係合される。
【００２３】
角柱状部材４０、４０のそれぞれの先端部には上向きにＵ字状に切り欠き部３５が形成される。背支え部１４と互いに上面を合わせるように折り畳んだ座部１６を開いて脚３８、３８の連結部材３９をこの切り欠き部３５、３５に係合したときに、略直立する脚３８、３８と座部１６の上面との間に形成される角度（図１中、θ２で示す。）が例えば６０°の鋭角をなすように、言い換えれば、使用状態において座部１６が前上がりになるように、切り欠き部３５、３５および連結部材３９の位置や形状等が設定される。
一方、入浴用折り畳み椅子１０を開いたときに、２本の脚３２、３２の先端部が浴槽の底面に当接して、背支え部１４が後方に傾斜状に、言い換えれば、脚３２、３２（および脚３２、３２から延出する背支え部１４）と浴槽の底面とで挟まれる角度（図１中、θ３で示す。）が、例えば４０°の鋭角をなすように設定される。
【００２４】
なお、本考案に係る入浴用折り畳み椅子１０において、頭支え部１２、背支え部１４および座部１６のうちのいずれかひとつまたは全てについて、幅方向にアールをつけて、頭、背あるいは臀部が横にずらないようにしておいてもよい。
また、脚部１８は、座部１６から４本脚が延出するように設けてもよく、あるいは背支え部１４および座部１６のそれぞれから２本ずつの脚が延出するように設けてもよい。さらにまた、脚部１８は、例えば三脚等であってもよい。
また、入浴用折り畳み椅子１０を構成する、頭支え部１２、背支え部１４、座部１６および脚部１８の各部材の材料は、特に限定するものではなく、木、合成樹脂あるいは金属等から適宜選定して用いることができる。木で作った入浴用折り畳み椅子は肌に馴染みやすく、また暖かみがあり、合成樹脂で作った入浴用折り畳み椅子は加工が容易でまた、安価に浴用折り畳み椅子を得ることができ、アルミ等の軽金属で作った入浴用折り畳み椅子は軽量で剛性が高い。
【００２５】
上記のように構成される入浴用折り畳み椅子１０は、使用しないときには、図２に示すように、背支え部１４と座部１６を折り畳み、脚３２、３２を支持部材２６、２６に重ね合わせることで、コンパクト化される。これにより、入浴用折り畳み椅子１０の持ち運びが容易であり、また、保管スペースが少なくて済む。
一方、入浴用折り畳み椅子１０を使用するときは、背支え部１４に対して座部１６を開いて、脚３８、３８に設けた連結部材３９を角柱状部材４０、４０の切り欠き部３５、３５に係合する。これにより、入浴用折り畳み椅子１０は、頭支え部１２が略水平に、背支え部１４が後方に傾斜状に、座部１６が前上がりに、それぞれ配置される。この状態で入浴用折り畳み椅子１０を浴槽Ｂに入れることで、あるいは、浴槽Ｂ内で入浴用折り畳み椅子１０を開くことで、安定した姿勢で入浴用折り畳み椅子１０が浴槽Ｂ内に配置され、半身浴を行うことができる。このとき、ゆるやかなＶ字を形成する座部１６および背支え部１４に背から下肢の付け根までを落とし込んだ状態となるため、楽な姿勢で入浴用折り畳み椅子１０に座ることができ、また、臀部が座部１６の前方にずり落ちることもない。
【００２６】
このとき、頭支え部１２の吸盤２２、２２を浴槽Ｂの縁に吸着させると、頭支え部１２が浴槽Ｂの縁に固定されることで頭支え部１２が位置ずれするおそれがなく、入浴用折り畳み椅子１０をより安定した状態とすることができる。また、脚３８、３８の吸盤４６、４６を浴槽Ｂの底面に吸着させることにより、同様の効果を得ることができる。
また、頭支え部１２の高さを調整することで、頭支え部１２を浴槽Ｂの縁により確実に密着させることができる。また、首の長さ等に応じた快適な位置に頭支え部１２を位置決めすることができる。
また、頭支え部１２の切込み２０に後ろ首を差し込むことで、頭を確実に頭支え部１２で支えることができ、頭が頭支え部１２からずり落ちるおそれがない。また、頭支え部１２に当接する首に与える負担が軽減される。
また、背支え部１４に設けられた隙間を通じて湯を背に当てることができるため、背支え部１４の全面に背を密着した場合に比べてより快適である。
また、使用する材料等の条件によって入浴用折り畳み椅子１０の重さが軽くて、浴槽Ｂ内で入浴用折り畳み椅子１０が浮いて不安定となるおそれがある場合であっても、座部１６に設けた重り４４、４４によって、入浴用折り畳み椅子１０を確実に浴槽Ｂ内に沈めて、安定した姿勢とすることができる。
【００２７】
なお、本考案に係る入浴用折り畳み椅子１０は、室内や庭等に配置していわゆるデッキチェアとしても好適に用いることができる。
【図面の簡単な説明】
【００２８】
【図１】本考案に係る入浴用折り畳み椅子を開いた状態を示す図である。
【図２】本考案に係る入浴用折り畳み椅子を閉じた状態を示す図である。
【図３】本考案に係る入浴用折り畳み椅子を浴槽内に配置した状態を示す図である。
【符号の説明】
【００２９】
１０  入浴用折り畳み椅子
１２  頭支え部
１４  背支え部
１６  座部
１７、２４  支持部材
１８  脚部
１９、２８  板
２１  冷却枕
２２、４６  吸盤
３２、３８  脚
３４  棒部材
３６、４２  係合部品
３９  連結部材
４０  角柱状部材
４４  重り  
【図１】
0003108218.tif 000003
【図２】
0003108218.tif 000004
【図３】
0003108218.tif 000005